(57)【特許請求の範囲】
【請求項１】
壁に固定された支持材と、
浴槽および前記壁から離間した状態で前記支持材により下面を支持され上面視において後端よりも後方の前記支持材の横方向の幅よりも広い横方向の幅を有する天板と、
前記天板よりも上方に設けられた被ホース接続部と、
一端が前記被ホース接続部に接続されたホースと、
前記ホースの他端に接続されたシャワーヘッドと、
前記被ホース接続部から下降している前記ホースが前記天板の上面の高さにおいて前記天板の後端よりも後方、もしくは、前記天板の左右端よりも内方に至ることを抑制することで、前記シャワーヘッドが前記天板よりも前方で操作されているときに、前記ホースが前記天板を下回って前記後端に引っ掛かることを抑制するホース引っ掛かり抑制手段と、
を備えたことを特徴とする浴室。
【請求項２】
前記ホース引っ掛かり抑制手段は、前記被ホース接続部が前記後端よりも前方、もしくは、前記左右端よりも外方に設けられることで、前記被ホース接続部から下降している前記ホースが前記天板の上面の高さにおいて前記天板の後端よりも後方、もしくは、前記天板の左右端よりも内方に至ることを抑制するよう構成されていることを特徴とする請求項１記載の浴室。
【請求項３】
前記ホース引っ掛かり抑制手段は、前記被ホース接続部が前記左右端よりも外方に設けられた構成を有することを特徴とする請求項２記載の浴室。
【請求項４】
前記ホース引っ掛かり抑制手段は、前記ホースが前記天板の上方において前方もしくは側方に向かい延びるように前記ホースを案内するガイド手段を有することを特徴とする請求項１記載の浴室。
【請求項５】
前記天板よりも上方に設けられ前記被ホース接続部を有する水栓をさらに備え、
前記ガイド手段は、前記水栓に設けられた前記被ホース接続部であり、
前記被ホース接続部の軸は、前方の成分もしくは側方の成分を有する方向へ延びていることを特徴とする請求項４記載の浴室。
【請求項６】
前記ガイド手段は、前記壁に固定されたガイド部材であって、前記被ホース接続部から延びる前記ホースが前記側方に向かい延びるよう前記ホースを案内するガイド部材であることを特徴とする請求項４記載の浴室。
【発明の詳細な説明】
【技術分野】
【０００１】
本発明の態様は、一般的に、カウンタが取り付けられた浴室に関する。
【背景技術】
【０００２】
家庭の浴室において身体を洗う作業を楽にするために、浴室用カウンタが浴室の壁に取り付けられている。使用者は、浴室用カウンタを利用することにより洗面器を洗い場よりも上方に置くことができる。
【０００３】
ここで、トップ部材、ボディ部材、及びブラケットの３つの部材で構成されたカウンターがある（特許文献１）。特許文献１に記載されたカウンターでは、ブラケットは、壁面へ固定され、トップ部材を支持している。トップ部材は、トップ面よりも一段低く形成された溝形成部を後方側に有しており、溝形成部の上面が排水溝の底面となる（特許文献１、図５参照）。
【０００４】
しかし、特許文献１に記載されたカウンターでは、トップ部材と壁面とが成す角部において入隅が形成されてしまう。特許文献１のカウンターでは、排水溝の前後方向の幅が比較的狭いため、入隅を掃除することは困難であり、入隅にこびりついた水垢や石鹸カスを落とすことは容易ではない。したがって、入隅の掃除には手間がかかる。
【０００５】
これに対して、カウンタが浴槽および壁面から離れて設けられたカウンタ付き浴室がある（特許文献２）。特許文献２に記載されたカウンタ付き浴室では、支柱がカウンタを長手方向に貫通しカウンタを支持している。しかし、特許文献２に記載されたカウンタ付き浴室であっても、支柱がカウンタを貫通しているため、カウンタの側端面と支柱とが成す角部において入隅が形成される。そのため、入隅にこびりついた水垢や石鹸カスを落とすことは容易ではなく、入隅の掃除には手間がかかるという点においては、改善の余地がある。
【０００６】
これに対して、本発明者は、浴室の壁面および浴槽から離間して設けられた天板を有する浴室用カウンタを検討中である。検討中の天板は、浴室の壁面（天板後方の壁面）に取り付けられた支持材により支持されている。また、検討中の支持材は、上面視において天板後端よりも後方に存在する支持材の左右方向の幅（左端から右端までの長さ）が天板の左右方向の幅よりも狭い。上面視において天板後端よりも後方に存在する支持材の上面には天板から流れてくる排水がかかりやすいため、このように支持材の左右方向の幅を狭くすることによって、支持材上面の左右方向における清掃範囲を抑えることができ、支持材上面の掃除の手間を抑えることができる。
【０００７】
しかし、本発明者の得た知見によれば、検討中の浴室用カウンタを備えた浴室では、使用者が手に持ったシャワーヘッドを天板よりも前方で使用しているときに、シャワーヘッドに接続されたホースがシャワーヘッドの動きに応じて振り回され、天板よりも上方から下降するホースが天板と浴室の壁面との間の隙間に入り、ホースが天板を下回ることがある。すると、シャワーヘッドに接続されたホースが天板の後端に引っ掛かり、シャワーヘッドを所望の位置まで移動させられないなど、シャワーヘッドの使い勝手が非常に悪くなることがあるという新たな課題が生ずる。
【先行技術文献】
【特許文献】
【０００８】
【特許文献１】特開２０１１−６７３４０号公報
【特許文献２】特開２０１３−１７９９８７号公報
【発明の概要】
【発明が解決しようとする課題】
【０００９】
本発明は、かかる課題の認識に基づいてなされたものであり、ホースが天板の後端に引っ掛かることを抑制することができる浴室を提供することを目的とする。
【課題を解決するための手段】
【００１０】
第１の発明は、壁に固定された支持材と、浴槽および前記壁から離間した状態で前記支持材により下面を支持され上面視において後端よりも後方の前記支持材の横方向の幅よりも広い横方向の幅を有する天板と、前記天板よりも上方に設けられた被ホース接続部と、一端が前記被ホース接続部に接続されたホースと、前記ホースの他端に接続されたシャワーヘッドと、前記被ホース接続部から下降している前記ホースが前記天板の上面の高さにおいて前記天板の後端よりも後方、もしくは、前記天板の左右端よりも内方に至ることを抑制することで、前記シャワーヘッドが前記天板よりも前方で操作されているときに、前記ホースが前記天板を下回って前記後端に引っ掛かることを抑制するホース引っ掛かり抑制手段と、を備えたことを特徴とする浴室である。
【００１１】
この浴室によれば、天板の全ての側端面が浴槽および壁面から水平方向に離間しているため、天板と浴槽との間および天板と壁面との間において入隅が形成されることを抑えることができる。  
これにより、水が入隅に溜まることを抑え、水垢や石鹸カスなどによる汚れが入隅に発生することを抑えることができる。また、入隅が形成されることを抑えることができるため、例えばシリコーンなどのシール材を入隅に塗布する必要がなく、浴室の見栄えをより向上させることができる。  
また、天板の全ての側端面が浴槽および壁面から水平方向に離間しているため、例えば清掃者は、汚れが付着した天板の側端面を端から端まで洗剤およびスポンジなどの清掃用具で簡単に擦り洗いすることができる。  
また、天板後端よりも後方の支持材の幅が天板の幅よりも狭いため、天板よりも後方側における支持材の上面の横方向の清掃範囲を小さく抑えることができる。これにより、水が比較的かかりやすい支持材の上面の清掃の手間を軽減することができる。  
さらに、被ホース接続部から下降しているホースが天板の上面の高さにおいて天板の後端よりも後方、もしくは、天板の左右端よりも内方に至ることを抑制することで、天板後端よりも後方の支持材の幅が天板の幅よりも狭い場合であっても、ホースが天板の後端に引っ掛かることを抑制することができる。
【００１２】
第２の発明は、第１の発明において、前記ホース引っ掛かり抑制手段は、前記被ホース接続部が前記後端よりも前方、もしくは、前記左右端よりも外方に設けられることで、前記被ホース接続部から下降している前記ホースが前記天板の上面の高さにおいて前記天板の後端よりも後方、もしくは、前記天板の左右端よりも内方に至ることを抑制するよう構成されていることを特徴とする浴室である。
【００１３】
この浴室によれば、被ホース接続部が天板の後端よりも前方、もしくは、天板の左右端よりも外方に設けられることで、使用者がシャワーヘッドを天板よりも前方で操作しているときにホースがＵ字状に垂れた状態で振り回されても、被ホース接続部から下降しているホースが天板の後方の隙間に入ることを抑制することができる。
【００１４】
すなわち、被ホース接続部が天板の後端よりも前方に設けられた場合には、Ｕ字状に垂れた状態でホースが前後方向に振り回され、被ホース接続部から下降するホースが天板の後方の隙間に向かおうとしても、被ホース接続部から下降するホースの自重により、ホースが後方に向かうことを抑制する力がホースに作用する。そのため、ホースが天板の後端よりも後方に到達することを抑制することができる。
【００１５】
同様に、被ホース接続部が天板の左右端よりも外方に設けられた場合には、Ｕ字状に垂れた状態でホースが横方向に振り回され、下降するホースが天板の左右端よりも外方から天板の後方の隙間に入り込もうとしても、被ホース接続部から下降するホースの自重により、ホースが天板の左右端よりも外方から隙間に向かうことを抑制する力がホースに作用する。そのため、ホースが天板の左右端よりも外方から天板の後方の隙間に到達することを抑制することができる。
【００１６】
このように、被ホース接続部の位置を工夫することにより、ホースが天板の後方の隙間に到達することを抑制することができ、ホースが天板の後端に引っ掛かることを抑制することができる。
【００１７】
第３の発明は、第２の発明において、前記ホース引っ掛かり抑制手段は、前記被ホース接続部が前記左右端よりも外方に設けられた構成を有することを特徴とする浴室である。
【００１８】
この浴室によれば、天板に載置された物（例えばシャンプーボトルや洗面器など）がホースと干渉することを抑えることができ、ホースが天板の後端に引っ掛かることを抑制することができる。
【００１９】
第４の発明は、第１の発明において、前記ホース引っ掛かり抑制手段は、前記ホースが前記天板の上方において前方もしくは側方に向かい延びるように前記ホースを案内するガイド手段を有することを特徴とする浴室である。
【００２０】
この浴室によれば、前記ホースが前記天板の上方において前方もしくは側方に向かい延びるように前記ホースを案内するガイド手段を有するため、使用者がシャワーヘッドを天板よりも前方で操作しているときにホースがＵ字状に垂れた状態で振り回されても、被ホース接続部から下降しているホースが天板の後方の隙間に入ることを抑制することができる。
【００２１】
すなわち、前記ホースが前記天板の上方において前方に向かい延びるように前記ホースを案内する場合には、Ｕ字状に垂れた状態でホースが前後方向に振り回され、被ホース接続部から下降するホースが天板の後方の隙間に向かおうとしても、被ホース接続部から下降するホースが天板よりも上方において前方側に凸状となるよう屈曲しようとする。そのため、ホースが後方に向かうことを抑制する力がホースに作用する。そのため、ホースが天板の後端よりも後方に到達することを抑制することができる。
【００２２】
同様に、前記ホースが前記天板の上方において側方に向かい延びるように前記ホースを案内する場合には、Ｕ字状に垂れた状態でホースが横方向に振り回され、被ホース接続部から下降するホースが天板の左右端よりも外方から天板の後方の隙間に入り込もうとしても、被ホース接続部から下降するホースが天板よりも上方において天板の左右端よりも外方側に凸状となるよう屈曲しようとする。そのため、ホースが天板の左右端よりも外方から隙間に向かうことを抑制する力がホースに作用する。そのため、ホースが天板の左右端よりも外方から隙間に到達することを抑制することができる。  
このように、ガイド手段によってホースが前記天板の上方において前方もしくは側方に向かい延びるように前記ホースを案内することにより、ホースが天板の後方の隙間に到達することを抑制することができ、ホースが天板の後端に引っ掛かることを抑制することができる。
【００２３】
第５の発明は、第４の発明において、前記天板よりも上方に設けられ前記被ホース接続部を有する水栓をさらに備え、前記ガイド手段は、前記水栓に設けられた前記被ホース接続部であり、前記被ホース接続部の軸は、前方の成分もしくは側方の成分を有する方向へ延びていることを特徴とする浴室である。
【００２４】
この浴室によれば、水栓に設けられている被ホース接続部の軸を、前方の成分もしくは側方の成分を有する方向へ延ばすという非常に簡単な構成でホースの引っ掛かりを抑制できる。
【００２５】
第６の発明は、第４の発明において、前記ガイド手段は、前記壁に固定されたガイド部材であって、前記被ホース接続部から延びる前記ホースが前記側方に向かい延びるよう前記ホースを案内するガイド部材であることを特徴とする浴室である。
【００２６】
この浴室によれば、ガイド部材は、被ホース接続部から延びるホースが側方へ向かって延びるようホースを案内するため、ホースが天板の後端に引っ掛かることを抑制することができる。また、浴室のサイズごとに天板の横幅が異なる場合であっても、ホースが天板の後端に引っ掛かることを抑制できる位置にガイド部材を固定するのみで良いため、横幅の異なる天板ごとに異なる部材を用意する必要がないため、製造コストを抑えることができる。
【発明の効果】
【００２７】
本発明の態様によれば、ホースが天板の後端に引っ掛かることを抑制することができる浴室が提供される。
【図面の簡単な説明】
【００２８】
【図１】本発明の実施の形態にかかる浴室を表す模式的斜視図である。
【図２】本実施形態にかかる浴室を表す模式的平面図である。
【図３】本実施形態にかかる浴室を表す模式的平面図である。
【図４】本実施形態にかかる浴室を表す模式的平面図である。
【図５】本実施形態の被ホース接続部およびホースを表す模式的斜視図である。
【図６】本実施形態の変形例にかかる浴室を表す模式的平面図である。
【図７】本変形例の水栓を表す模式的平面図である。
【図８】本発明の他の実施の形態にかかる浴室を表す模式的斜視図である。
【図９】本実施形態にかかる浴室を表す模式的平面図である。
【図１０】本実施形態にかかる浴室を表す模式的平面図である。
【図１１】本発明のさらに他の実施の形態にかかる浴室を表す模式的斜視図である。
【図１２】本実施形態にかかる浴室を表す模式的平面図である。
【図１３】本実施形態にかかる浴室を表す模式的平面図である。
【図１４】本実施形態のホースを表す模式的平面図である。
【図１５】本発明のさらに他の実施の形態にかかる浴室を表す模式的斜視図である。
【図１６】本実施形態にかかる浴室を表す模式的平面図である。
【図１７】本実施形態にかかる浴室を表す模式的平面図である。
【図１８】本実施形態の水栓の具体例を表す模式的平面図である。
【図１９】本発明のさらに他の実施の形態にかかる浴室を表す模式的斜視図である。
【図２０】本実施形態にかかる浴室を表す模式的平面図である。
【図２１】本実施形態にかかる浴室を表す模式的平面図である。
【図２２】本発明のさらに他の実施の形態にかかる浴室を表す模式的斜視図である。
【図２３】本実施形態のガイド部材を表す模式的平面図である。
【図２４】本実施形態にかかる浴室を表す模式的平面図である。
【図２５】本実施形態にかかる浴室を表す模式的平面図である。
【発明を実施するための形態】
【００２９】
以下、本発明の実施の形態について図面を参照しつつ説明する。なお、各図面中、同様の構成要素には同一の符号を付して詳細な説明は適宜省略する。  
図１は、本発明の実施の形態にかかる浴室を表す模式的斜視図である。  
図２〜図４は、本実施形態にかかる浴室を表す模式的平面図である。  
図５は、本実施形態の被ホース接続部およびホースを表す模式的斜視図である。
【００３０】
図２は、本実施形態にかかる浴室を前方から眺めた（正面視）ときの模式的平面図である。図３は、本実施形態にかかる浴室を側方から眺めた（側面視）ときの模式的平面図である。図４は、本実施形態にかかる浴室を上方から眺めた（上面視）ときの模式的平面図である。
【００３１】
本実施形態にかかる浴室１０は、浴槽２００と、カウンタ３００と、水栓４００と、ホース引っ掛かり抑制手段と、を備える。浴室１０は、鏡８０１を備えていてもよい。
【００３２】
カウンタ３００および水栓４００は、浴室１０の洗い場１００の第１の壁面１１０に取り付けられている。第１の壁面１１０は、浴槽２００と、浴槽２００と対向する第２の壁面１２０と、の間に設けられ、浴槽２００および第２の壁面１２０と接続されている。
【００３３】
カウンタ３００は、天板３１０と、支持材３２０と、を有する。  
図１〜図４に表したように、天板３１０は、第１の側端面（後端）３１１と、第２の側端面（左端）３１２と、第３の側端面（右端）３１３と、第４の側端面３１４と、上面３１６と、下面３１７と、を有し、支持材３２０により支持されている。図１〜図４に表したように、天板３１０は、浴槽２００、第１の壁面１１０および第２の壁面１２０から離間している。
【００３４】
より具体的に説明すると、第１の側端面３１１は、第１の壁面１１０と対向し、第１の壁面１１０から水平方向に離間している。第２の側端面３１２は、浴槽２００の側面２１０と対向し、浴槽２００から水平方向に離間している。第３の側端面３１３は、第２の壁面１２０と対向し、第２の壁面１２０から水平方向に離間している。第４の側端面３１４は、洗い場１００と面し、浴槽２００、第１の壁面１１０、および第２の壁面１２０から水平方向に離間している。つまり、天板３１０の全ての側端面（第１の側端面３１１、第２の側端面３１２、第３の側端面３１３、および第４の側端面３１４）は、浴槽２００、第１の壁面１１０、および第２の壁面１２０から水平方向に離間している。
【００３５】
図４に表したように、第１の側端面３１１と第１の壁面１１０との間には、隙間Ｓ１が存在する。第１の側端面３１１と、第１の壁面１１０と、の間の距離Ｄ１は、例えば約５０ミリメートル（ｍｍ）程度である。第２の側端面３１２と浴槽２００の側面２１０との間には、隙間Ｓ２が存在する。第２の側端面３１２と、浴槽２００の側面２１０と、の間の距離Ｄ２は、例えば約７０ｍｍ程度である。第３の側端面３１３と第２の壁面１２０との間には、隙間Ｓ３が存在する。第３の側端面３１３と、第２の壁面１２０と、の間の距離Ｄ３は、例えば約７０ｍｍ程度である。
【００３６】
第１の側端面３１１、第２の側端面３１２、および第３の側端面３１３の拭き掃除をするために、距離Ｄ１、距離Ｄ２、および距離Ｄ３は、より適切な距離に適宜設定されている。具体的には、距離Ｄ１、距離Ｄ２、および距離Ｄ３のそれぞれは、スポンジ等の清掃用具を挿入しやすくするため、例えば約３０ｍｍ以上であることがより好ましい。また、手の甲が拭き掃除の際に第１の壁面１１０、第２の壁面１２０、および浴槽２００に当たらないようにするためには、距離Ｄ１、距離Ｄ２、および距離Ｄ３のそれぞれは、例えば約５０ｍｍ以上であることがより好ましい。天板３１０が洗い場１００に比較的大きく張り出すことを抑えるため、距離Ｄ１は、３０ｍｍ以上、５０ｍｍ以下であることがより好ましい。なお、第１の側端面３１１、第２の側端面３１２、第３の側端面３１３、および第４の側端面３１４は、平面ではなく曲面を有していてもよい。例えば、側端面３１１〜３１４は、外方に向かって凸状に湾曲した形状でも良い。これによれば、例えば清掃者は、拭き掃除をより一層手軽に行うことができる。
【００３７】
支持材３２０は、第１の壁面１１０に取り付けられている。より具体的には、支持材３２０の一端は、例えばボルトなどの締結具により第１の壁面１１０に固定されている。支持材３２０の他端は、例えばネジなどの締結具により天板３１０の下面３１７に固定され、天板３１０の下面３１７を支持している。なお、支持材３２０は、天板３１０の下面３１７を直接的に支持しているのではなく、天板３１０の撓みを抑える補強材（図示せず）を介して天板３１０の下面３１７を支持していてもよい。
【００３８】
天板３１０よりも後方側において、支持材３２０の幅は、天板３１０の幅よりも狭い。つまり、図２に表したように、支持材３２０の横方向の長さ（横方向の幅）Ｄ５は、天板３１０の横方向の長さ（横方向の幅）Ｄ４よりも短い。言い換えれば、天板３１０の幅は、天板３１０の後端よりも後方の支持材３２０の幅よりも広い。なお、天板３１０の後端よりも前方側において、支持材３２０の横方向の長さは、天板３１０の横方向の長さより短くても良いし、天板３１０の横方向の長さより長くても構わない。また、天板３１０の横方向の長さと同一でも構わない。  
本願明細書において「横方向」とは、水平方向であって第１の壁面１１０に平行な方向をいう。
【００３９】
天板３１０の第２の側端面３１２と、支持材３２０の左端と、の間の横方向の距離Ｄ９は、例えば約１９５ｍｍ以上、４５０ｍｍ以下程度である。天板３１０の第３の側端面３１３と、支持材３２０の右端と、の間の距離Ｄ１０は、例えば約１９５ｍｍ以上、４５０ｍｍ以下程度である。これによれば、天板３１０の上面３１６に複数の物を置くことができるようにしつつも、天板３１０も安定して支持することができる。
【００４０】
天板３１０の上面３１６は、略平坦である。例えば、使用者８１１は、洗面器やシャンプーのボトル等を天板３１０の上面３１６に載せることができる。天板３１０の上面３１６には、排水のための傾斜が設けられていてもよい。この場合、経年によって傾斜方向が変わらないよう、天板３１０の上面３１６を前方側に下降傾斜させておくことが好ましい。天板３１０の上面３１６の傾斜角度は、水が天板３１０の上面３１６に著しく残らない程度の排水勾配の角度、かつ、天板３１０の上面３１６に置かれた物が滑り落ちない程度の傾斜角度であることがより好ましい。天板３１０の上面３１６の傾斜角度は、例えば約１．１５度以上、１．９１度以下程度である。
【００４１】
本願明細書において、「前方」とは、カウンタ３００および水栓４００が第１の壁面１１０に取り付けられた状態において、第１の壁面１１０に垂直な方向であって第１の壁面１１０からみてカウンタ３００および水栓４００の側の方向をいう。本願明細書において、「後方」とは、「前方」とは反対の方向をいう。本願明細書において、「下方」とは、カウンタ３００および水栓４００が第１の壁面１１０に取り付けられた状態において、鉛直方向であって水栓４００からみてカウンタ３００の側の方向をいう。本願明細書において、「上方」とは、「下方」とは反対の方向をいう。
【００４２】
水栓４００は、カウンタ３００よりも上方に設けられ、第１の壁面１１０に取り付けられている。水栓４００は、水栓本体４１０と、水栓カバー４２０と、を有する。水栓本体４１０は、水栓カバー４２０に内蔵され、被ホース接続部４１１と、吐水部４１３と、を有する。被ホース接続部４１１は、天板３１０よりも上方に設けられている。
【００４３】
また、水栓４００には、シャワーヘッド４３０と、ホース４４０と、が設けられている。ホース４４０の一端は、被ホース接続部４１１に接続されている。ホース４４０の他端は、シャワーヘッド４３０に接続されている。
【００４４】
より具体的に説明すると、図５に表したように、被ホース接続部４１１の先端部には、雄ねじ４１１ａが形成されている。一方で、ホース４４０の先端部には、接続金具４４８が設けられている。接続金具４４８の内側には、雌ねじ４４８ａが形成されている。接続金具４４８の雌ねじ４４８ａを被ホース接続部４１１の雄ねじ４１１ａに締め付けることにより、ホース４４０の一端は、被ホース接続部４１１に接続される。接続金具４４８の軸方向は、接続金具４４８から延びるホース４４０の軸方向と同一である。また、被ホース接続部４１１に接続されたホース４４０は、被ホース接続部４１１の軸方向に延びている。
【００４５】
ホース４４０は、可撓性および弾性を有する。また、ホース４４０の径は、例えば１２ミリメートル（ｍｍ）以上、２０ｍｍ以下程度である。但し、ホース４４０の径は、一例であり、これだけには限定されない。ホース４４０の材料としては、例えばゴムや金属などが挙げられる。
【００４６】
水栓４００は、水栓本体４１０を通して供給された水を吐水部４１３から天板３１０へ向かって吐出する。例えば、水栓４００は、天板３１０の上に載置された洗面器に吐水部４１３から水を供給する。あるいは、水栓４００は、水栓本体４１０を通して供給された水を被ホース接続部４１１からホース４４０へ導く。ホース４４０へ導かれた水は、シャワーヘッド４３０から吐出される。水栓本体４１０は、温度調整ユニット（図示せず）と、流量調整ユニット（図示せず）と、を有する。本願明細書において、「水」には、冷水のみならず、加温されたお湯が含まれる。
【００４７】
本実施形態によれば、天板３１０の全ての側端面が浴槽２００、第１の壁面１１０、および第２の壁面１２０から水平方向に離間しているため、天板３１０と浴槽２００との間、天板３１０と第１の壁面１１０との間、および天板３１０と第２の壁面１２０との間において入隅が形成されることを抑えることができる。
【００４８】
本願明細書において「入隅」とは、複数の面が互いに接続された箇所の内側の部分をいうものとする。あるいは、本願明細書において「入隅」とは、複数の面が互いに接続された箇所の凹んだ部分をいうものとする。
【００４９】
これにより、水が入隅に溜まることを抑え、水垢や石鹸カスなどによる汚れが入隅に発生することを抑えることができる。また、入隅が形成されることを抑えることができるため、例えばシリコーンなどのシール材を入隅に塗布する必要がなく、浴室１０の見栄えをより向上させることができる。
【００５０】
また、天板３１０の全ての側端面が浴槽２００、第１の壁面１１０、および第２の壁面１２０から水平方向に離間しているため、例えば清掃者は、汚れが付着した天板３１０の側端面を端から端まで洗剤およびスポンジなどの清掃用具でより簡単に擦り洗いすることができる。
【００５１】
また、支持材３２０の幅が天板３１０の幅よりも狭いため、天板３１０よりも後方側における支持材３２０の上面の横方向の清掃範囲をより小さく抑えることができる。これにより、水が比較的かかりやすい、天板３１０よりも後方側の支持材３２０の上面の清掃の手間を軽減することができる。
【００５２】
ここで、天板３１０よりも後方側において、支持材３２０の幅が天板３１０の幅よりも狭く、天板３１０の全ての側端面が浴槽２００、第１の壁面１１０、および第２の壁面１２０から水平方向に離間している場合、使用者８１１が手に持ったシャワーヘッドを天板よりも前方で使用しているときに、シャワーヘッドに接続されたホースが使用者が操作するシャワーヘッドの動きに応じて振り回され、天板よりも上方から下降するホースが天板と第１の壁面との間の隙間（図４の例では、隙間Ｓ１）に入り、ホースが天板を下回ることがある。ホースが天板と第１の壁面との間の隙間に入ると、シャワーヘッドに接続されたホースが天板の後端に引っ掛かり、シャワーヘッドを所望の位置まで移動させられないなど、シャワーヘッドを操作する際に、シャワーヘッドの使い勝手が非常に悪くなることがあるという新たな課題が生ずる。
【００５３】
これに対して、本実施形態にかかる浴室１０では、被ホース接続部４１１から下降しているホース４４０が天板３１０の上面３１６の高さにおいて天板３１０の第２の側端面３１２と天板３１０の第３の側端面３１２との間（天板３１０の左右端よりも内方）に至ることが抑制される。そのため、使用者がシャワーヘッド４３０を天板３１０よりも前方で使用しているときに、シャワーヘッド４３０に接続されたホース４４０が天板３１０を下回って天板３１０の後端に引っ掛かることが抑制される。このように、ホース４４０が天板３１０の後端に引っ掛かることを抑制する手段が、本実施形態のホース引っ掛かり抑制手段である。
【００５４】
これによれば、支持材３２０の幅が天板３１０の幅よりも狭い場合であっても、ホース４４０が天板３１０の後端に引っ掛かることを抑制することができる。これにより、シャワーヘッド４３０の使い勝手が悪くなることを抑制することができる。
【００５５】
より具体的に説明すると、図２に表したように、本実施形態の被ホース接続部４１１は、天板３１０の第２の側端面３１２よりも外方（図２では左方）に設けられている。なお、被ホース接続部４１１の設置形態は、これだけには限定されない。例えば、本実施形態の被ホース接続部４１１は、天板３１０の第３の側端面３１３よりも外方（図２では右方）に設けられていてもよい。なお、本実施形態の被ホース接続部４１１の軸は、鉛直方向の下方に延びるように構成されている。
【００５６】
これによれば、使用者８１１がシャワーヘッド４３０を天板３１０よりも前方で使用しているときにホース４４０がＵ字状に垂れた状態で、例えば図２に表した矢印Ａ３および矢印Ａ４のように左右に振り回されても、被ホース接続部４１１から下降しているホース４４０が天板３１０と第１の側端面３１１との間の隙間Ｓ１に入ることを抑制することができる。すなわち、ホース４４０が天板３１０の左右端よりも外方から隙間Ｓ１に入り込もうとしても、天板３１０の左右端よりも外方に設けられた被ホース接続部４１１の近傍のホース４４０が天板３１０よりも上方において天板３１０の左右端よりも外方側に凸状となるよう屈曲することによって生じる弾性力や下降するホース４４０の自重の作用（図２に表した矢印Ａ５参照）によって、ホース４４０が天板３１０の左右端よりも外方から隙間Ｓ１に向かうことを抑制する力が作用する。さらに、正面視において、被ホース接続部４１１と天板３１０の左端との間における横方向の離間距離Ｄ８が存在するため、左右に振られたホース４４０が、天板３１０の左端よりも外方から隙間Ｓ１に到達しづらくなる。そのため、ホース４４０が天板３１０の左右端よりも外方から隙間Ｓ１に到達することを抑制することができる。このように、本実施形態では、被ホース接続部４１１の位置を工夫することにより、ホース４４０が隙間Ｓ１に到達することを抑制でき、ホース４４０が天板３１０の後端に引っ掛かることを抑制することができる。  
なお、ホース４４０が天板３１０の左右端よりも内方に向かうことを抑制するよう弾性力をホース４４０に確実に作用させるためには、被ホース接続部４１１の軸が、天板３１０の左右端よりも内方に向かう方向（図２の実施形態においては右方向）の成分を有さない方向に延びるよう構成することが好ましい。
【００５７】
また、被ホース接続部４１１が天板３１０の左右端よりも外方に設けられているため、ホース４４０が天板３１０の後端に引っ掛かることを抑制できるだけでなく、天板３１０に載置された物（例えばシャンプーボトルや洗面器など）がホース４４０と干渉することをも抑えることができる。  
このように、本実施形態では、被ホース接続部４１１が天板３１０の左右端よりも外方に設けられたことが、ホース引っ掛かり抑制手段に相当する。
【００５８】
図６は、本実施形態の変形例にかかる浴室を表す模式的平面図である。  
図７は、本変形例の水栓を表す模式的平面図である。  
図７（ａ）は、本変形例の水栓を側方から眺めたときの模式的平面図である。図７（ｂ）は、図７（ａ）に表した矢印Ａ１３の方向に水栓を眺めたときの模式的平面図である。図７（ｃ）は、図７（ｂ）に表した矢印Ａ１４の方向に水栓を眺めたときの模式的平面図である。
【００５９】
図６に表したように、本変形例の被ホース接続部４１１の軸４１２は、前方の成分を有する方向へ延びている。そのため、本変形例の被ホース接続部４１１の近傍のホース４４０は、前方の成分を有する方向へ延びている。
【００６０】
本変形例の水栓４００は、被ホース接続部（本変形例においてガイド手段）４１１と、吐水部４１３と、サーモユニット４１７と、流調ユニット４１８と、ボタンユニット４１９と、水栓カバー４２０と、を有する。
【００６１】
サーモユニット４１７は、水栓カバー４２０の前面４２７に設けられ、吐水部４１３あるいはシャワーヘッド４３０から吐出される水の温度を調整する。  
流調ユニット４１８は、水栓カバー４２０の前面４２７に設けられ、吐水部４１３あるいはシャワーヘッド４３０から吐出される水の流量を調整する。
【００６２】
ボタンユニット４１９は、水栓カバー４２０の前面４２７および上面４２９に設けられ、水が吐水部４１３から吐出される状態と、水がシャワーヘッド４３０から吐出される状態と、を切り替えることできる。
【００６３】
水栓カバー４２０は、水栓に関する部品の少なくとも一部を内蔵する。  
吐水部４１３は、水栓カバー４２０の下面４２５に設けられ、水栓４００が浴室１０に設置された状態において天板３１０へ向かって水を吐出する。
【００６４】
被ホース接続部４１１は、水栓カバー４２０の下面４２５に回動不能に設けられている。被ホース接続部４１１は、ホース４４０の一端に接続され、供給された水をホース４４０へ導く。被ホース接続部４１１は、接続されたホース４４０が前方へ延びるように案内する。言い換えれば、被ホース接続部４１１の軸４１２は、前方の成分を有する方向へ延びている。  
その他の各部材の構造や配置は、図１〜図５に関して前述した通りである。
【００６５】
本変形例によれば、被ホース接続部４１１の近傍のホース４４０が前方の成分を有する方向へ延びているため、被ホース接続部４１１から下降しているホース４４０が天板３１０と第１の側端面３１１との間の隙間Ｓ１に入ることをより抑制することができる。これにより、ホース４４０が天板３１０の後端に引っ掛かることをより抑制することができる。つまり、本変形例では、被ホース接続部４１１が天板３１０の左右端よりも外方に設けられ、被ホース接続部４１１の軸４１２が前方の成分を有する方向へ延びていることが、ホース引っ掛かり抑制手段に相当する。このように、被ホース接続部４１１を天板３１０の左右端よりも外方に設けるだけでなく、被ホース接続部４１１の軸４１２が前方の成分を有する方向へ延びるよう構成することで、被ホース接続部４１１を天板３１０の左右端よりも外方に設けただけの場合よりも、ホース４４０が天板３１０の後端に引っ掛かることをより確実に抑制することができる。
【００６６】
次に、本発明の他の実施の形態について説明する。  
図８は、本発明の他の実施の形態にかかる浴室を表す模式的斜視図である。  
図９および図１０は、本実施形態にかかる浴室を表す模式的平面図である。  
図９は、本実施形態にかかる浴室を上方から眺めたときの模式的平面図である。図１０は、本実施形態にかかる浴室を側方から眺めたときの模式的平面図である。
【００６７】
図１〜図５に関して前述した新たな課題に対して、本実施形態にかかる浴室１０では、被ホース接続部４１１から下降しているホース４４０が天板３１０の上面３１６の高さにおいて天板３１０の第１の側端面３１１よりも後方に至ることが抑制される。  
これによれば、図１〜図５に関して前述した効果が得られる。
【００６８】
より具体的に説明すると、図９および図１０に表したように、本実施形態の被ホース接続部４１１は、天板３１０の第１の側端面３１１よりも前方に設けられると共に、被ホース接続部４１１の軸は、鉛直方向の下方に延びるように構成されている。その他の各部材の構造や配置は、図１〜図５に関して前述した通りである。
【００６９】
これによれば、使用者８１１がシャワーヘッド４３０を天板３１０よりも前方で使用しているときにホース４４０がＵ字状に垂れた状態で振り回されても、被ホース接続部４１１から下降しているホース４４０が天板３１０と第１の側端面３１１との間の隙間Ｓ１に入ることを抑制することができる。すなわち、被ホース接続部４１１から下降するホース４４０が天板３１０の後方の隙間Ｓ１に向かおうとしても、天板３１０の第１の側端面３１１よりも前方に設けられた被ホース接続部４１１の近傍のホース４４０が天板３１０よりも上方において前方側に凸状となるよう屈曲することによって生じる弾性力や下降するホース４４０の自重の作用（図９に表した矢印Ａ６参照）によって、ホース４４０が後方に向かうことを抑制する力が作用する。さらに、側面視において、被ホース接続部４１１と天板３１０の後端との間における前後方向の離間距離Ｄ１１が存在するため、例えば被ホース接続部４１１から下降するホースが天板の側方の隙間Ｓ２に入り込み、後方側に振られたとしても、ホースは天板後端に到達しづらくなる。そのため、ホース４４０が天板３１０の第１の側端面３１１よりも後方に到達することを抑制することができる。このように、被ホース接続部４１１の位置を工夫することにより、ホース４４０が隙間Ｓ１に到達することを抑制することができ、ホース４４０が天板３１０の後端に引っ掛かることを抑制することができる。なお、ホース４４０が後方に向かうことを抑制するよう弾性力をホース４４０に確実に作用させるためには、被ホース接続部４１１の軸が、後方の成分を有さない方向に延びるよう構成することが好ましい。
【００７０】
このように、本実施形態では、被ホース接続部４１１が天板３１０の第１の側端面３１１よりも前方に設けられたことが、ホース引っ掛かり抑制手段に相当する。
【００７１】
次に、本発明のさらに他の実施の形態について説明する。  
図１１は、本発明のさらに他の実施の形態にかかる浴室を表す模式的斜視図である。  
図１２および図１３は、本実施形態にかかる浴室を表す模式的平面図である。  
図１４は、本実施形態のホースを表す模式的平面図である。  
図１２は、本実施形態にかかる浴室を前方から眺めたときの模式的平面図である。図１３は、本実施形態にかかる浴室を側方から眺めたときの模式的平面図である。
【００７２】
図１〜図５に関して前述した新たな課題に対して、本実施形態にかかる浴室１０では、被ホース接続部（本実施形態においてガイド手段）４１１は、水栓４００から側方に向かって延び、ホース４４０が天板３１０の上方において側方に向かい下降するようにホース４４０を案内する。その他の各部材の構造や配置は、図１〜図５に関して前述した通りである。
【００７３】
これによれば、図１〜図５に関して前述した弾性力や下降するホース４４０の自重がホース４４０に作用する（図１２に表した矢印Ａ５参照）がホース４４０に作用する。さらに、被ホース接続部４１１がホース４４０を案内しない場合と比較して、ホース４４０は、天板３１０の後方の隙間Ｓ１に天板３１０の左端よりも外方から入り込もうとしたときに天板３１０よりも上方においてより小さい径をもって天板３１０の左右端よりも外方側に凸状となるよう屈曲しようとする。そのため、より大きい弾性力がホース４４０に作用する。これにより、ホース４４０が隙間Ｓ１に到達しづらくなり、ホース４４０が天板３１０の後端に引っ掛かることを抑制することができる。
【００７４】
なお、本実施形態では、ホース４４０が天板３１０の上方で自重により大きく下方に撓まないようにするため、ホース４４０の内、被ホース接続部４１１に接続されている一端側には、ホース４４０の剛性を高めるための補強材４４３がホース４４０に設けられている。この補強材４４３は、天板３１０の左端上方もしくは天板３１０の左端上方の近傍まで施されていることが好ましい（図１２に表した領域Ｂ１参照）。図１４に表したように、補強材４４３としては、例えば圧縮コイルばねなどが用いられる。なお、図１４の実施形態では、ホース４４０に圧縮コイルばねを埋め込んでいる。
【００７５】
このように、本実施形態では、被ホース接続部４１１が、水栓４００から側方に向かって延び、ホース４４０が天板３１０の上方において側方に向かい延びるようにホース４４０を案内することが、ホース引っ掛かり抑制手段に相当する。
【００７６】
次に、本発明のさらに他の実施の形態について説明する。  
図１５は、本発明のさらに他の実施の形態にかかる浴室を表す模式的斜視図である。  
図１６〜図１７は、本実施形態にかかる浴室を表す模式的平面図である。  
図１８は、本実施形態の水栓の具体例を表す模式的平面図である。  
図１６は、本実施形態にかかる浴室を上方から眺めたときの模式的平面図である。図１７は、本実施形態にかかる浴室を側方から眺めたときの模式的平面図である。図１８（ａ）は、本実施形態の水栓を側方から眺めたときの模式的平面図である。図１８（ｂ）は、図１８（ａ）に表した矢印Ａ１１の方向に水栓を眺めたときの模式的平面図である。図１８（ｃ）は、図１８（ｂ）に表した矢印Ａ１２の方向に水栓を眺めたときの模式的平面図である。
【００７７】
図１〜図５に関して前述した新たな課題に対して、本実施形態にかかる浴室１０では、被ホース接続部（本実施形態においてガイド手段）４１１は、水栓４００から前方に向かって延び、ホース４４０が天板３１０の上方において前方に向かい下降するようにホース４４０を案内する。より具体的には、図１７に表したように、被ホース接続部４１１の軸４１２は、前方の成分を有する方向へ延びている。また、被ホース接続部４１１の軸４１２は、左方の成分を有する方向へも延びている。
【００７８】
本実施形態の水栓４００は、被ホース接続部（図１５〜図１８においてガイド手段）４１１と、吐水部４１３と、第１の止水栓４１５と、第２の止水栓４１６と、サーモユニット４１７と、流調ユニット４１８と、水栓カバー４２０と、を有する。
【００７９】
水栓カバー４２０は、第１の止水栓４１５および第２の止水栓４１６などの水栓に関する部品の少なくとも一部を内蔵する。  
サーモユニット４１７は、水栓カバー４２０の第１の側面４２１に設けられ、吐水部４１３あるいはシャワーヘッド４３０から吐出される水の温度を調整する。  
流調ユニット４１８は、水栓カバー４２０の第２の側面４２３に設けられ、吐水部４１３あるいはシャワーヘッド４３０から吐出される水の流量を調整する。
【００８０】
第１の止水栓４１５は、浴室１０の壁から突出した給水管（図示せず）に接続され、給水管を通して供給される水の圧力を調整したり、給水管を通して供給される水を止めたりする。第１の止水栓４１５は、例えば金属製の配管（図示せず）を介してサーモユニット４１７に接続されている。
【００８１】
第２の止水栓４１６は、浴室１０の壁から突出した給湯管（図示せず）に接続され、給湯管を通して供給される湯の圧力を調整したり、給湯管を通して供給される湯を止めたりする。第２の止水栓４１６は、例えば金属製の配管（図示せず）を介してサーモユニット４１７に接続されている。
【００８２】
吐水部４１３は、水栓カバー４２０の下面４２５に設けられ、水栓４００が浴室１０に設置された状態において天板３１０へ向かって水を吐出する。
【００８３】
被ホース接続部４１１は、水栓カバー４２０の第１の側面４２１に設けられている。被ホース接続部４１１は、水栓カバー４２０の第１の側面４２１に、図示しないネジなどの締結部材によって回動不能に固定されている。被ホース接続部４１１は、ホース４４０の一端に接続され、供給された水をホース４４０へ導く。被ホース接続部４１１は、接続されたホース４４０が前方へ延びるように案内する。言い換えれば、被ホース接続部４１１の軸４１２は、前方の成分を有する方向へ延びている。  
その他の各部材の構造や配置は、図１〜図５に関して前述した通りである。
【００８４】
これによれば、図８〜図１０に関して前述した弾性力や下降するホース４４０の自重がホース４４０に作用する（図１６に表した矢印Ａ６参照）がホース４４０に作用する。さらに、被ホース接続部４１１がホース４４０を案内しない場合と比較して、ホース４４０は、天板３１０の後方の隙間Ｓ１に入り込もうとしたときに天板３１０よりも上方においてより小さい径をもって前方側に凸状となるよう屈曲しようとする。そのため、天板３１０の後端よりも前方からホース４４０が天板３１０の後方に到達することを抑制するよう、より大きい弾性力がホース４４０に作用する。これにより、ホース４４０が天板３１０の後端に引っ掛かることを抑制することができる。さらに、被ホース接続部４１１の軸４１２が左方の成分を有する方向へも延びているため、水栓４００から左方向へ遠ざかるようホース４４０が下降するため、水栓４００の下方に配置される洗面器を利用する際にホース４４０が邪魔になることを抑制できる。
【００８５】
このように、本実施形態では、被ホース接続部４１１が、水栓４００から前方に向かって延び、ホース４４０が天板３１０の上方において前方に向かい下降するようにホース４４０を案内することが、ホース引っ掛かり抑制手段に相当する。
【００８６】
本実施形態によれば、使用者８１１が外力をホース４４０に加えて力尽くでホース４４０を天板３１０の後方の隙間Ｓ１へ回し込むことを抑えることができる。すなわち、被ホース接続部４１１が水栓カバー４２０の前方かつ中央寄りに設けられていると、使用者８１１は、水栓４００の下方に載置した洗面器に水を入れるときや、吐水口下方の天板３１０上に載置した洗面器内の水（湯）を使用するときに、吐水口近傍の前方にあるホース４４０が邪魔となり、外力をホース４４０に加えて力尽くでホース４４０を天板３１０の後方の隙間Ｓ１へ回し込むおそれがある。
【００８７】
これに対して、本実施形態によれば、被ホース接続部４１１が水栓カバー４２０の第１の側面４２１に設けられているため、吐水口近傍の前方にホース４４０が垂れることを抑制でき、使用者８１１が外力をホース４４０に加えて力尽くでホース４４０を天板３１０の後方の隙間Ｓ１へ回し込むことを抑えることができる。これにより、ホース４４０が天板３１０の後端に引っ掛かることをより一層抑制することができる。
【００８８】
次に、本発明のさらに他の実施の形態について説明する。  
図１９は、本発明のさらに他の実施の形態にかかる浴室を表す模式的斜視図である。  
図２０および図２１は、本実施形態にかかる浴室を表す模式的平面図である。  
図２０は、本実施形態にかかる浴室を前方から眺めたときの模式的平面図である。図２１は、本実施形態にかかる浴室を側方から眺めたときの模式的平面図である。
【００８９】
図１〜図５に関して前述した新たな課題に対して、本実施形態にかかる浴室１０では、ホース引っ掛かり抑制手段は、ガイド部材（ガイド手段）５２０を有する。ガイド部材５２０は、第１の壁面１１０に設けられている。図１９および図２１に表したように、ガイド部材５２０は、水栓４００の側方において第１の壁面１１０に固定され、第１の壁面１１０から略前方へ延びて略垂直に屈曲し、略上方へ延びている。
【００９０】
図２０に表したように、ガイド部材５２０は、ホース４４０の一部を保持し、被ホース接続部４１１から下降するホース４４０が側方へ向かって延びるようにホース４４０を案内する。その他の各部材の構造や配置は、図１〜図５に関して前述した通りである。
【００９１】
これによれば、ガイド部材５２０は、被ホース接続部４１１から下降しているホース４４０が側方へ向かって延びるようホース４４０を案内するため、ホース４４０が天板３１０の後端に引っ掛かることを抑制することができる。また、浴室１０のサイズごとに天板３１０の横幅が異なる場合であっても、ホース４４０が天板３１０の後端に引っ掛かることを抑制できる位置にガイド部材５２０を固定するのみで良いため、横幅の異なる天板３１０ごとに異なる部材を用意する必要がないため、製造コストを抑えることができる。
【００９２】
また、ガイド部材５２０を天板３１０の左端の上方に配置するか、もしくは天板３１０の左端の上方近傍に配置することで、ホース４４０の引っ掛かりを抑制しつつ、シャワーヘッド４３０の動きに追従可能なホース４４０（シャワーヘッド４３０とガイド部材５２０との間のホース４４０の部分：図２０に表した二点鎖線のホース４４０の部分）の長さが必要以上に奪われないようにすることができるため、シャワーヘッド４３０操作時のシャワーヘッド４３０の使い勝手を維持することができる。
【００９３】
次に、本発明のさらに他の実施の形態について説明する。  
図２２は、本発明のさらに他の実施の形態にかかる浴室を表す模式的斜視図である。  
図２３は、本実施形態のガイド部材を表す模式的平面図である。  
図２４および図２５は、本実施形態にかかる浴室を表す模式的平面図である。
【００９４】
図２３（ａ）は、本実施形態のガイド部材を前方から眺めたときの模式的平面図である。図２３（ｂ）は、図２３（ａ）に表した矢印Ａ１５の方向にガイド部材を眺めたときの模式的平面図である。  
図２４は、本実施形態にかかる浴室を前方から眺めたときの模式的平面図である。図２５は、本実施形態にかかる浴室を側方から眺めたときの模式的平面図である。
【００９５】
図１〜図５に関して前述した新たな課題に対して、本実施形態にかかる浴室１０では、ホース引っ掛かり抑制手段は、ガイド部材５２０を有する。ガイド部材５２０は、第１の壁面１１０に設けられている。図１９および図２１に表したように、ガイド部材５２０は、水栓４００の下方において第１の壁面１１０に固定され、ホース４４０の一部を保持することができる。
【００９６】
より具体的に説明すると、図２３（ａ）〜図２３（ｂ）に表したように、本実施形態のガイド部材５２０は、基部５２１と、第１の側壁５２２と、第２の側壁５２３と、を有する。基部５２１は、第１の壁面１１０に固定されている。第１の側壁５２２は、基部５２１に接続され、前方へ向かって延びている。第２の側壁５２３は、基部５２１に接続され、前方へ向かって延びている。第２の側壁５２３は、第１の側壁５２２から離れて設けられ、第１の側壁５２２と対向している。第１の側壁５２２と、第２の側壁５２３と、の間には、溝５２４が形成されている。本実施形態のガイド部材５２０は、溝５２４においてホース４４０の一部を保持することができる。
【００９７】
図２３（ｂ）および図２５に表したように、ガイド部材５２０の溝５２４の軸５２５は、前方の成分を有する方向へ延びている。そのため、図８〜図１０に関して前述した弾性力や下降するホース４４０の自重がホース４４０に作用する。これにより、ガイド部材５２０は、被ホース接続部４１１から下降しているホース４４０が前方へ向かって下降するようにホース４４０を案内するため、ホース４４０が天板３１０の後端に引っ掛かることを抑制することができる。
【００９８】
また、図２４に表したように、ガイド部材５２０の溝５２４の軸５２５は、側方の成分を有する方向へ延びている。そのため、図１〜図５に関して前述した弾性力や下降するホース４４０の自重がホース４４０に作用する。これにより、ガイド部材５２０は、被ホース接続部４１１から下降しているホース４４０が側方へ向かって下降するようにホース４４０を案内するため、ホース４４０が天板３１０の後端に引っ掛かることを抑制することができる。
【００９９】
さらに、ガイド部材５２０の溝５２４の軸５２５が前方の成分および側方の成分を有する方向へ延びているため、天板３１０に載置された物がホース４４０と干渉することを抑えることができる。これにより、ホース４４０が天板３１０の後端に引っ掛かることを抑制することができる。
【０１００】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室１０、カウンタ３００、および水栓４００などが備える各要素の形状、寸法、材質、配置などやカウンタ３００、水栓４００、およびガイド部材５２０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１０１】
１０ 浴室、  １００ 洗い場、  １１０ 第１の壁面、  １２０ 第２の壁面、  ２００ 浴槽、  ２１０ 側面、  ３００ カウンタ、  ３１０ 天板、  ３１１ 第１の側端面、  ３１２ 第２の側端面、  ３１３ 第３の側端面、  ３１４ 第４の側端面、  ３１６ 上面、  ３１７ 下面、  ３２０ 支持材、  ４００ 水栓、  ４１０ 水栓本体、  ４１１ 被ホース接続部、  ４１１ａ 雄ねじ、  ４１２ 軸、  ４１３ 吐水部、  ４１５ 第１の止水栓、  ４１６ 第２の止水栓、  ４１７ サーモユニット、  ４１８ 流調ユニット、  ４１９ ボタンユニット、  ４２０ 水栓カバー、  ４２１ 第１の側面、  ４２３ 第２の側面、  ４２５ 下面、  ４２７ 前面、  ４２９ 上面、  ４３０ シャワーヘッド、  ４４０ ホース、  ４４８ 接続金具、  ４４８ａ 雌ねじ、  ５２０ ガイド部材、  ５２１ 基部、  ５２２ 第１の側壁、  ５２３ 第２の側壁、  ５２４ 溝、  ５２５ 軸、  ８０１ 鏡、  ８０３ 洗面器、  ８１１ 使用者
【図１】
0006493805.tif 000002
【図２】
0006493805.tif 000003
【図３】
0006493805.tif 000004
【図４】
0006493805.tif 000005
【図５】
0006493805.tif 000006
【図６】
0006493805.tif 000007
【図７】
0006493805.tif 000008
【図８】
0006493805.tif 000009
【図９】
0006493805.tif 000010
【図１０】
0006493805.tif 000011
【図１１】
0006493805.tif 000012
【図１２】
0006493805.tif 000013
【図１３】
0006493805.tif 000014
【図１４】
0006493805.tif 000015
【図１５】
0006493805.tif 000016
【図１６】
0006493805.tif 000017
【図１７】
0006493805.tif 000018
【図１８】
0006493805.tif 000019
【図１９】
0006493805.tif 000020
【図２０】
0006493805.tif 000021
【図２１】
0006493805.tif 000022
【図２２】
0006493805.tif 000023
【図２３】
0006493805.tif 000024
【図２４】
0006493805.tif 000025
【図２５】
0006493805.tif 000026